(57)【要約】【課題】いわゆるスライド式のロック体を有する構成において、ロック状態を容易かつ確実に確認することができる点検口を提供する。【解決手段】室内側空間と室外側空間とを連通する開口部に臨む箇所に固定される外枠５と、この外枠５内に開閉自在に設けられる内枠６と、内枠６を閉姿勢にロックするロック位置と内枠６を開けることが可能なロック解除位置とにわたって、スライド自在のロック体１１とを備えている。ロック体１１に、室内側空間に露出して操作可能な操作部１１ａが設けられ、内枠６における室内側空間に露出可能な箇所にスリット１６が形成され、ロック体１１がロック位置にある場合に、ロック体１１の操作部１１ａによりスリット１６を覆ってスリット１６が室内側空間に露出しないよう構成されている。【選択図】図７
2020176412.tif 000002
【特許請求の範囲】
【請求項１】
室内側空間と室外側空間とを連通する開口部に臨む箇所に固定される外枠と、この外枠内に開閉自在に設けられる内枠と、を備えた点検口であって、
外枠に係合して内枠を閉姿勢にロックするロック位置と、外枠に係合せず内枠を開けることが可能なロック解除位置とにわたって、スライド自在のロック体が、内枠に、この内枠を構成する枠材の長手方向に沿って移動自在に取り付けられ、
このロック体に、室内側空間に露出して操作可能な操作部が設けられ、
内枠における室内側空間に露出可能な箇所にスリットが形成され、
ロック体がロック位置にある場合に、ロック体の操作部によりスリットを覆ってスリットが室内側空間に露出しないよう構成されている
ことを特徴とする点検口。
【請求項２】
ロック体の操作部が、内枠に設けられている前記スリットを通して室内側空間に突出されていることを特徴とする請求項１に記載の点検口。
【請求項３】
ロック体の操作部の厚みが、内枠の室内側空間に露出する箇所の厚みに合わせて設けられていることを特徴とする請求項１または２に記載の点検口。
【請求項４】
室内側空間と室外側空間とを連通する開口部に臨む箇所に固定される外枠と、この外枠内に開閉自在に設けられる内枠と、を備えた点検口であって、
内枠に係合して内枠を閉姿勢にロックするロック位置と、内枠に係合せず内枠を開けることが可能なロック解除位置とにわたって、スライド自在のロック体が、外枠に、この外枠を構成する枠材の長手方向に沿って移動自在に設けられ、
このロック体に、室内側空間に露出して操作可能な操作部が設けられ、
外枠における室内側空間に露出可能な箇所にスリットが形成され、
ロック体がロック位置にある場合に、ロック体の操作部によりスリットを覆ってスリットが室内側空間に露出しないよう構成されている
ことを特徴とする点検口。
【発明の詳細な説明】
【技術分野】
【０００１】
本発明は、天井点検口などの点検口に関する。
【背景技術】
【０００２】
室内側空間と室外側空間とを連通する開口部に臨む箇所に外枠が固定され、この外枠内に内枠が開閉自在に設けられている、天井点検口などの点検口は広く知られている。また、この種の点検口において、内枠を閉状態にロックするロック位置と、内枠を開可能状態にするロック解除位置と、にわたって移動するロック体が、内枠や外枠を構成する枠材の長手方向に沿ってスライド自在に構成された、いわゆるスライド式のロック体を有する構成も、例えば特許文献１等に開示されているように、既に知られている。
【０００３】
この特許文献１に開示されている従来の点検口では、図１５、図１６に示すように、内枠８１にスライド自在にロック体８２が取り付けられ、ロック体８２の操作部８２ａの一部にロック判別用の貫通孔８２ｂが形成されている。そして、点検口の内枠８１を閉じた状態においてロック体８２がロック位置である場合には、図１６に示すように、貫通孔８２ｂを通して、外枠８３の折り返し片（ロック受け部）８３ａを視認できるよう構成されている。一方、ロック体８２がロック解除位置（または、ロック解除位置に寄った位置）である場合には、外枠８３に切欠かれたロック逃がし部（判別空間部）８４を通して、暗い室外側空間９１しか見えないように構成されている。
【０００４】
この構成によれば、点検口の内枠８１を閉じた状態においてロック判別用の貫通孔８２ｂ内を覗くことで、ロック体８２が完全にロック位置までスライドされているかどうかを確認可能である。
【０００５】
なお、ロック体８２は、外枠８３と内枠８１との間の隙間９３を通して、室内側空間９２と室外側空間９１とにわたって上下に延びる姿勢で設けられている。また、ロック体８２の操作部８２ａは室内側空間９２に露出して設けられているが、この操作部８２ａは、内枠８１と、外枠８３と、これらの間の隙間９３とにわたって、その長手方向だけでなく、厚み方向（長手方向に対して横に直交する方向）に大きな寸法で形成されている。
【先行技術文献】
【特許文献】
【０００６】
【特許文献１】特開２０１５−２００１００号公報
【発明の概要】
【発明が解決しようとする課題】
【０００７】
上記のように、特許文献１等に開示されている従来の点検口の構成では、ロック体８２の操作部８２ａに形成された貫通孔８２ｂを通して、貫通孔８２ｂより奥まった箇所の様子を視認することで、ロック状態を確認できる。しかしながら、貫通孔８２ｂは、ロック体８２の操作部８２ａで囲まれているとともに奥まった位置であるため、貫通孔８２ｂの内部が暗くて確認し難い場合が多くなる。特に、貫通孔８２ｂ内の一部だけ、外枠８３の折り返し片（ロック受け部）８３ａがあるような、不完全なロック状態（いわゆる半ロック位置）である場合には、貫通孔８２ｂを覗いて、このような不完全なロック状態（いわゆる半ロック位置）であることを認識することが非常に困難となる恐れがある。
【０００８】
本発明は上記課題を解決するもので、いわゆるスライド式のロック体を有する構成において、ロック状態を容易かつ確実に確認することができる点検口を提供することを目的とするものである。
【課題を解決するための手段】
【０００９】
上記課題を解決するために、本発明は、室内側空間と室外側空間とを連通する開口部に臨む箇所に固定される外枠と、この外枠内に開閉自在に設けられる内枠と、を備えた点検口であって、外枠に係合して内枠を閉姿勢にロックするロック位置と、外枠に係合せず内枠を開けることが可能なロック解除位置とにわたって、スライド自在のロック体が、内枠に、この内枠を構成する枠材の長手方向に沿って移動自在に取り付けられ、このロック体に、室内側空間に露出して操作可能な操作部が設けられ、内枠における室内側空間に露出可能な箇所にスリットが形成され、ロック体がロック位置にある場合に、ロック体の操作部によりスリットを覆ってスリットが室内側空間に露出しないよう構成されていることを特徴とする。
【００１０】
この構成によれば、スリットが、内枠における室内側空間に露出可能な箇所に形成されているので、ロック体の操作部によりスリットが覆われない限り、室内の光がスリットに良好に到達してスリットを明るい状態で良好に視認することができる。すなわち、点検口が閉じられている状態であるにもかかわらず、スリットが室内側空間に露出している場合には、暗くて視認し難いなどの不具合を発生することなく、スリットを容易かつ確実に確認することができ、ロック体がロック位置まで移動されていないこと（いわゆる半ロック状態であること）を、容易かつ確実に認識することができる。また、点検口を閉じて操作部をスライドさせた際に、完全なロック位置まで移動できたことを容易かつ確実に視認できる。
【００１１】
また、本発明は、ロック体の操作部が、内枠に設けられている前記スリットを通して室内側空間に突出されていることを特徴とする。
【００１２】
この構成によれば、従来のようにロック体の操作部が、内枠と外枠との間の隙間を通しては室外側空間から室内側空間に突出されておらず、内枠に設けた前記スリットを通して突出されているので、従来のようにロック体の操作部を通すために内枠と外枠との間の隙間を広げなくても済み、内枠と外枠との間の隙間を最小限に抑えることができる。したがって、内枠と外枠との間の隙間を目立ち難くすることができるとともに、室外側空間と室内側空間との間で隙間風などが出入りすることを最小限に抑えることができる。
【００１３】
また、本発明は、ロック体の操作部の厚みが、内枠の室内側空間に露出する箇所の厚みに合わせて設けられていることを特徴とする。
【００１４】
この構成によれば、ロック体の操作部の厚みを内枠の室内側空間に露出する箇所の厚みよりも大きくした場合と比較して、ロック体の操作部を目立ち難い状態で配設できる。また、ロック体の操作部の厚みを内枠の室内に露出する箇所の厚みよりも小さくし過ぎると、操作部の剛性が低下するおそれがあるが、このような不具合を生じることを防止できる。さらに、ロック体の操作部を、内枠の室内側空間に露出する箇所の厚みに合わせて設けることにより、ロック体の操作部の厚み方向端部となる辺と内枠の厚み方向端部となる辺とを合わせることもできるため、この場合には、さらに、ロック体の操作部を目立ち難い状態で配置できる。
【００１５】
また、本発明は、室内側空間と室外側空間とを連通する開口部に臨む箇所に固定される外枠と、この外枠内に開閉自在に設けられる内枠と、を備えた点検口であって、内枠に係合して内枠を閉姿勢にロックするロック位置と、内枠に係合せず内枠を開けることが可能なロック解除位置とにわたって、スライド自在のロック体が、外枠に、この外枠を構成する枠材の長手方向に沿って移動自在に設けられ、このロック体に、室内側空間に露出して操作可能な操作部が設けられ、外枠における室内側空間に露出可能な箇所にスリットが形成され、ロック体がロック位置にある場合に、ロック体の操作部によりスリットを覆ってスリットが室内側空間に露出しないよう構成されていることを特徴とする。
【００１６】
この構成によれば、スリットが、外枠における室内側空間に露出可能な箇所に形成されているので、ロック体の操作部によりスリットが覆われない限り、室内の光がスリットに良好に到達してスリットを明るい状態で良好に視認することができる。すなわち、点検口が閉じられている状態であるにもかかわらず、スリットが室内側空間に露出している場合には、暗くて視認し難いなどの不具合を発生することなく、スリットを容易かつ確実に確認することができ、ロック体がロック位置まで移動されていないこと（いわゆる半ロック状態であること）を、容易かつ確実に認識することができる。また、点検口を閉じて操作部をスライドさせた際に、完全なロック位置まで移動できたことを容易かつ確実に視認できる。
【発明の効果】
【００１７】
本発明によれば、スライド自在のロック体を内枠に移動自在に取り付け、このロック体に、室内側空間に露出して操作可能な操作部を設け、内枠における室内側空間に露出可能な箇所にスリットを形成し、ロック体がロック位置にある場合に、ロック体の操作部によりスリットを覆ってスリットが室内側空間に露出しないよう構成することにより、ロック体の操作部によりスリットが覆われない限り、室内の光がスリットに良好に到達してスリットを明るい状態で良好に視認することができ、例え、ロック体がロック位置まで完全には移動されていない（いわゆる半ロック状態である）場合でも、この状況を容易かつ確実に認識することができ、ひいては点検口の信頼性を向上させることができる。また、点検口を閉じて操作部をスライドさせた際に、完全なロック位置まで移動できたことを容易かつ確実に視認でき、これによっても点検口の信頼性を向上させることができる。
【００１８】
また、スライド自在のロック体を外枠に移動自在に取り付け、このロック体に、室内側空間に露出して操作可能な操作部を設け、外枠における室内側空間に露出可能な箇所にスリットを形成し、ロック体がロック位置にある場合に、ロック体の操作部によりスリットを覆ってスリットが室内側空間に露出しないよう構成することにより、ロック体の操作部によりスリットが覆われない限り、室内の光がスリットに良好に到達してスリットを明るい状態で良好に視認することができ、例え、ロック体がロック位置まで完全には移動されていない（いわゆる半ロック状態である）場合でも、この状況を容易かつ確実に認識することができ、ひいては点検口の信頼性を向上させることができる。また、点検口を閉じて操作部をスライドさせた際に、完全なロック位置まで移動できたことを容易かつ確実に視認でき、これによっても点検口の信頼性を向上させることができる。
【図面の簡単な説明】
【００１９】
【図１】本発明の実施の形態に係る点検口の底面図である。
【図２】同点検口のＡ−Ａ線で切断した要部拡大縦断面図であり、内枠を閉め、外枠の外側に天井材を組み付け、内枠に閉鎖材を取り付けた状態を示す。
【図３】同点検口の側面図で、内枠を開け始めた状態を示す。
【図４】同点検口の正面図で、内枠を閉めた状態を示す。
【図５】同点検口のロック体およびその近傍箇所を示す要部拡大底面図で、左側領域にロック体が閉鎖位置にある状態を示し、右側領域にロック体を開放側に移動した状態を示す。
【図６】図５のＢ−Ｂ線矢視縦断面図である。
【図７】図６の位置Ｃより矢視したロック体およびその近傍箇所の正面図であり、ロック体がロック位置にある状態を示す。
【図８】図６の位置Ｃより矢視したロック体およびその近傍箇所の正面図であり、ロック体がロック解除位置にある状態を示す。
【図９】図８のＤ−Ｄ線矢視縦断面図である。
【図１０】図６の位置Ｅより矢視したロック受けおよびその近傍箇所の背面図である。
【図１１】図１０のＥ−Ｅ線矢視縦断面図である。
【図１２】第２ロック分割体を第１ロック分割体に組み付ける状態を示す斜視図である。
【図１３】ロック押えをロック体に組み付ける状態を示す斜視図である。
【図１４】ロック押えをロック体に組み付けた状態を示す斜視図である。
【図１５】従来の点検口の斜視図である。
【図１６】同従来の点検口の縦断面図である。
【発明を実施するための形態】
【００２０】
以下、本発明に係る実施の形態の点検口を図面に基づき説明する。
図１〜図４などは本発明の実施の形態に係る点検口を示し、図１、図２、図４は内枠を閉めた状態を示し、図３は内枠を開ける途中の状態を示す。
【００２１】
図１〜図４において、１は点検口であり、これらの図においては、点検口１が、天井に設けられる点検口（天井点検口）である場合を示している。図１〜図４に示すように、点検口１は、室内側空間２と室外側空間３とを連通する開口部４に臨む箇所（開口部４を囲む箇所）に固定される略四角枠形状の外枠５と、この外枠５内に開閉自在に設けられる略四角枠形状の内枠６と、を備えている。なお、図示しないが、外枠５は、吊り金具などの取付具を介して野縁などに取り付けられて支持されており、図２などに示すように、外枠５の外側には天井材７（７Ａ、７Ｂ）などの壁面体をなす板材が組み付けられる。また、図２に示すように、内枠６の内側には、ねじ１２などで取り付けられた取付材８などを介して、閉鎖材９（９Ａ、９Ｂ）が取り付けられる。
【００２２】
図３に示すように、内枠６は、ヒンジ体１０を介して、外枠５に対して開閉自在に支持されている。なお、例えば、ヒンジ体１０は外枠５に対して回転軸１０ａを介して回転できるだけでなく長溝などを介してスライド自在に構成すると好適であるが、この構造に限るものではなく、ヒンジ体１０に設けられている回転軸１０ａなどを介して内枠６を開閉自在に支持できる構造であればよい。
【００２３】
図２などに示すように、内枠６には、上下に延びて内側に取付材８が取り付けられる上縦板部６ｆと、上縦板部６ｆの上端部から外側に突出するとともに下側に湾曲する上屈曲片６ａと、上縦板部６ｆの下端部から外側に突出するとともに上側に屈曲してスライド溝６ｄを形成する上屈曲片６ｂと、上縦板部６ｆの下端部から外側、すなわち外枠５に近接する方向に延びる横板部６ｇと、この横板部６ｇの外側端部から下方に延びて内側に閉鎖材９Ｂが当てられる下板部６ｈとなど、が設けられて一体形成されている。そして、内枠６は、閉鎖材９が組み付けられた状態では、ほぼ下板部６ｈの下端部だけが室内側空間２に露出されている。
【００２４】
外枠５には、上下に延びて外側に天井材７（７Ａ、７Ｂ）が組み付けられる縦板部５ａと、縦板部５ａの上端部から内側（内枠６側）に向けて延びる上横板部５ｂと、縦板部５ａの下部寄り箇所から内側に突出するとともに上側に屈曲して溝５ｄが形成された屈曲片５ｃと、縦板部５ａの下方から外側に突出して天井材７Ｂに下方から当てられる保持用突部５ｆとなど、が設けられて一体形成されている。そして、内枠６が閉じられた状態では、内枠６と外枠５とが近接して（詳しくは、内枠６の下板部６ｈと、外枠５の縦板部５ａと保持用突部５ｆとの接続部分とが近接して）これらの間の隙間１３が極めて小さい状態で配設される。外枠５は、天井材７（７Ａ、７Ｂ）が組み付けられた状態では、ほぼ保持用突部５ｆだけが室内側空間２に露出されている。また、内枠６が閉じられる際には、内枠６の横板部６ｇと下板部６ｈとの接続部分が外枠５の屈曲片５ｃに下方から当接して、内枠６の閉鎖時の位置が規制される。
【００２５】
図５〜図８などに示すように、内枠６には、この内枠６の長手方向ａ、ｂに沿ってスライド自在のロック体１１が取り付けられている。ロック体１１は、外枠５に係合して内枠６を閉姿勢にロックするロック位置（図５の左側領域および図６、図７参照）と、外枠５に係合せず内枠６を開けることが可能なロック解除位置（図５の右側領域および図８、図９参照）とにわたって、移動自在（スライド自在）とされている。なお、この実施の形態では、図６などに示すように、ロック体１１の上端に設けられた上摺接部１１ｂが内枠６の上屈曲片６ａの下端部に摺接し、ロック体１１の下側寄り箇所に設けられた下摺接部１１ｄが内枠６の下屈曲片６ｄの上端部に摺接し、ロック体１１の下側寄り箇所に突設されたスライド用凸部１１ｃが内枠６のスライド溝６ｄに嵌り込んだ状態で、ロック体１１が内枠６に沿って横方向（内枠６の長手方向）にスライド自在とされているが、この構造に限るものではない。
【００２６】
また、この実施の形態では、ロック体１１が内枠６から外れないように、外側からロック押え１４が複数のリベットなどの固定部材１５により内枠６に取り付けられ、このロック押え１４と内枠６によって、ロック体１１が挟まれた状態でスライド自在に保持されている。なお、ロック押え１４には左右に延びる腕部１４ａが形成され、ロック体１１がスライドされる際には、スライド位置の両端部で、ロック押え１４の腕部１４ａに、ロック体１１の上摺接部１１ｂや下摺接部１１ｄが上下に設けられている側端部１１ｎにおけるその下部が当接されて、スライド範囲が規制される（決められる）。
【００２７】
ここで、図５〜図９などに示すように、ロック体１１には、室内側空間２に露出して操作可能な操作部１１ａが設けられている。また、内枠６における室内側空間２に露出可能な箇所にスリット（凹状溝部であり切欠部でもある）１６が形成されている。そして、ロック体１１がロック位置にある場合に、ロック体１１の操作部１１ａによりスリット１６を覆ってスリット１６が室内側空間２に露出しないよう構成されている。この実施の形態では、ロック体１１の操作部１１ａが、内枠６に設けられているスリット１６を通して室内側空間２に突出されている。また、図６に示すように、ロック体１１の操作部１１ａの厚み（内枠６の長手方向に直交する横方向に沿う寸法）ｔが、内枠６の室内側空間２に露出する箇所（下板部６ｈの下端面）の厚み（内枠６の長手方向に直交する横方向の寸法）ｔに合わせて設けられている。すなわち、ロック体１１の操作部１１ａの厚みｔと内枠６の室内側空間２に露出する箇所（下板部６ｈの下端面）の厚みとがほぼ同じとされている。
【００２８】
また、外枠５の屈曲片５ｃおよび溝５ｄの、一部には、樹脂製などのロック受け１７が取り付けられており、ロック体１１には、ロック受け１７に係合可能なロック部１１ｆが設けられている。また、外枠５のロック受け１７が取り付けられている箇所の近傍には屈曲片５ｃが切欠かれた切欠部１８が設けられている。すなわち、内枠６を閉じた状態で、ロック体１１の操作部１１ａを操作して、ロック体１１をロック位置にスライドさせることで、図６に示すように、ロック部１１ｆがロック受け１７に係合して、内枠６が開くことを阻止されるロック状態となる。一方、内枠６を閉じた状態で、ロック体１１の操作部１１ａを操作して、ロック体１１をロック解除位置にスライドさせると、ロック部１１ｆが、外枠５の切欠部１８に対応する位置まで移動して、切欠部１８を通り抜けることが可能となり、内枠６を開けることが許容される（ロック解除される）。
【００２９】
なお、この実施の形態では、図１２〜図１４などに示すように、ロック体１１が、第１ロック分割体１１Ａと第２ロック分割体１１Ｂとを組み合わせて形成されている。第１ロック分割体１１Ａは、ロック部１１ｆが、第１ロック分割体１１Ａの中央に設けられている分割体中央部１１ｍから側方（内側）および下方に延びるように形成され、分割体中央部１１ｍの左右に、下端にスライド用突部１１ｃが設けられている柱部１１ｊと、この柱部１１ｊよりさらに左右に延びるアーム部１１ｋなどが形成されている。そして、アーム部１１ｋの左右両端が側端部１１ｎに接続され、側端部１１ｎが上下に延びて上端に上摺動部１１ｂが、下端に下摺動部１１ｄが形成されている。また、第２ロック分割体１１Ｂには、第１ロック分割体１１Ａの分割体中央部１１ｍが上方から覆うように組み付けられる中央連結部１１ｈと、中央連結部１１ｈの左右から上方に延びるように形成されて、第１ロック分割体１１Ａの柱部１１ｊに外側から被せられて組み付けられる左右の上延部１１ｉと、中央連結部１１ｈから下方に延びる操作部１１ａの基部（操作基部）１１ｇなどが形成されている。そして、操作部１１ａの基部（操作基部）１１ｇがスリット１６を通されて操作部１１ａが室内側空間２に突出されている。
【００３０】
しかしながら、ロック体１１やロック押え１４などが、このような構成に限るものではなく、ロック体１１が、内枠６に対してスライド自在に支持され、外枠５に対して（この実施の形態では外枠５に取り付けられたロック受け１７に対して）係合可能とされて、操作部１１ａが上述の構成（ロック体１１がロック位置にある場合に、ロック体１１の操作部１１ａによりスリット１６を覆ってスリット１６が室内側空間２に露出しないよう構成されているなど）とされていればよい。
【００３１】
上記構成によれば、スリット１６が、内枠６における室内側空間２に露出可能な箇所に形成されているので、ロック体１１の操作部１１ａによりスリット１６が覆われない限り、室内の光がスリット１６に良好に到達してスリット１６を明るい状態で良好に視認することができる。すなわち、点検口１の内枠６などが閉じられている状態であるにもかかわらず、スリット１６が室内側空間２に露出している場合には、暗くて視認し難いなどの不具合を発生することなく、スリット１６を容易かつ確実に確認することができ、ロック体１１がロック位置まで移動されていないこと（いわゆる半ロック状態であること）を、容易かつ確実に認識することができ、ひいては点検口の信頼性を向上させることができる。また、点検口１の内枠６などを閉じて操作部１１ａをスライドさせた際には、スリット１６が見えなくなるまでスライドさせることにより、完全なロック位置まで移動できたことを容易かつ確実に視認できるので、信頼性を向上できるとともに便利である。
【００３２】
また、上記構成によれば、ロック体１１の操作部１１ａが、内枠６と外枠５との間の隙間１３を通しては室外側空間３から室内側空間２に突出されておらず、ロック体１１の操作部１１ａ（操作部１１ａの基部１１ｇ）は、内枠６に設けたスリット１６を通して突出されている。これにより、ロック体１１の操作部１１ａを通すために内枠６と外枠５との間の隙間１３を広げなくても済み、内枠６と外枠５との間の隙間１３を最小限に抑えることができる。
【００３３】
つまり、図１６に示すように、従来の点検口の構成では、ロック体８２が、外枠８３と内枠８１との間の隙間を通して上下に延びて室内側空間に突出する構成とされている。したがって、外枠８３と内枠８１との間の隙間をある程度大きくしなければならず、外枠８３と内枠８１との間の隙間が目立ってしまうとともに、室外空間から室内に隙間風などが入り易くなってしまい、室内側空間の密閉性などを阻害してしまうおそれもあった。
【００３４】
これに対して、上述したように、本点検口１では、ロック体１１の操作部１１ａ（操作部１１ａの基部１１ｇ）は、内枠６に設けたスリット１６を通して突出されているので、ロック体１１の操作部１１ａを通すために内枠６と外枠５との間の隙間１３を広げなくても済み、内枠６と外枠５との間の隙間１３を最小限に抑えることができる。したがって、内枠６と外枠５との間の隙間１３を目立ち難くすることができるとともに、室外側空間３と室内側空間２との間で隙間風などが出入りすることを最小限に抑えることができる。
【００３５】
また、上記構成によれば、ロック体１１の操作部１１ａの厚みｔが、内枠６の室内側空間２に露出する箇所（内枠６の下板部６ｈの下端面）の厚みに合わせて設けられているので、図１５や図１６に示す従来の点検口のように、ロック体の操作部の厚みを内枠の室内側空間に露出する箇所の厚みよりも大きくした場合と比較して、ロック体１１の操作部１１ａを目立ち難い状態で配設できる。また、ロック体の操作部の厚みを内枠の室内に露出する箇所の厚みよりも小さくし過ぎると、操作部の剛性が低下するおそれがあるが、このような不具合を生じることを防止できる。さらに、上記のように、ロック体１１の操作部１１ａを、内枠６の室内側空間２に露出する箇所（内枠６の下板部６ｈの下端面）の厚みに合わせて設けることにより、図５に示すように、ロック体１１の操作部１１ａの厚み方向端部となる辺１１ａ’と内枠６の厚み方向端部となる辺６ｈ’とを合わせることもできるため、この場合には、さらに、ロック体１１の操作部１１ａを目立ち難い状態で配置できて、点検口１として極めて良好な外観を得ることができる。
【００３６】
なお、上記の実施の形態では、ロック体１１を内枠６にスライド自在に取り付け、ロック受け１７を外枠５に取り付けた場合を述べたが、これに限るものではなく、ロック体１１を外枠５にスライド自在に取り付け、ロック受け１７を内枠６に取り付けてもよい。この場合でも、ロック体１１に、室内側空間２に露出して操作可能な操作部１１ａを設け、外枠５における室内側空間２に露出可能な箇所にスリット１６を形成し、ロック体１１がロック位置にある場合に、ロック体１１の操作部１１ａによりスリット１６を覆ってスリット１６が室内側空間２に露出しないよう構成すると、上記実施の形態と同様の作用効果を得ることができる。また、この場合には、ロック体１１の操作部１１ａを、外枠５に設けられているスリット１６を通して室内側空間２に突出させたり、ロック体１１の操作部１１ａの幅を、外枠５の室内側空間２に露出する箇所の幅に合わせて設けたりすると好適である。
【００３７】
また、上記の実施の形態では、点検口１が天井点検口である場合を述べたが、これに限るものではなく、側壁に設けられる点検口や、床部に設けられる点検口などにも同様な構成を適用することが可能となる。なお、床部に設けられる点検口に設ける場合には、操作部を、内枠や外枠の室内側空間に露出する箇所と同じ面（いわゆる面一）とすると好適であるが、これに限るものではない。
【符号の説明】
【００３８】
１      点検口
２      室内側空間
３      室外側空間
４      開口部
５      外枠
６      内枠
７、７Ａ、７Ｂ      天井材
８      取付材
９、９Ａ、９Ｂ      閉鎖材
１０    ヒンジ体
１１    ロック体
１１ａ  操作部
１３    隙間
１４    ロック押え
１６    スリット（凹状溝部、切欠部）
【図１】
2020176412.tif 000003
【図２】
2020176412.tif 000004
【図３】
2020176412.tif 000005
【図４】
2020176412.tif 000006
【図５】
2020176412.tif 000007
【図６】
2020176412.tif 000008
【図７】
2020176412.tif 000009
【図８】
2020176412.tif 000010
【図９】
2020176412.tif 000011
【図１０】
2020176412.tif 000012
【図１１】
2020176412.tif 000013
【図１２】
2020176412.tif 000014
【図１３】
2020176412.tif 000015
【図１４】
2020176412.tif 000016
【図１５】
2020176412.tif 000017
【図１６】
2020176412.tif 000018